(57)【要約】【課題】装着性、シール性及び抜け防止性の向上を図った栓を提供する。【解決手段】内圧がかかるケースに設けられた開口部２１０を塞ぐ、弾性体からなる栓１００において、筒状の本体部１３０と、本体部１３０の先端側に設けられ、開口部２１０におけるケース内部側の開口端縁２２０に係止される係止部１１０と、本体部１３０の後端側に設けられ、開口部２１０におけるケース外部側の開口端縁２３１に突き当たる外向きフランジ部１２０と、本体部１３０における筒内に設けられ、該筒内のうち少なくとも先端側には空間部Ｋを形成させた状態で、該筒内においてケースの内部側と外部側とを遮断する遮断部１３１と、本体部１３０の外周側に設けられ、開口部２１０の内周面に密着する第１環状突起部１３２及び第２環状突起部１３３と、を備えることを特徴とする。【選択図】図３
2012007695.tif 000002
【特許請求の範囲】
【請求項１】
内圧がかかるケースに設けられた開口部を塞ぐ、弾性体からなる栓において、
筒状の本体部と、
前記本体部の先端側に設けられ、前記開口部におけるケース内部側の開口端縁に係止される係止部と、
前記本体部の後端側に設けられ、前記開口部におけるケース外部側の開口端縁に突き当たる外向きフランジ部と、
前記本体部における筒内に設けられ、該筒内のうち少なくとも先端側には空間部を形成させた状態で、該筒内においてケースの内部側と外部側とを遮断する遮断部と、
前記本体部の外周側に設けられ、前記開口部の内周面に密着する少なくとも一つの環状突起部と、
を備えることを特徴とする栓。
【請求項２】
前記環状突起部には、前記遮断部よりも先端側の位置に設けられているものが含まれることを特徴とする請求項１に記載の栓。
【請求項３】
前記環状突起部には、前記遮断部の外周の位置に設けられているものが含まれることを特徴とする請求項１または２に記載の栓。
【発明の詳細な説明】
【技術分野】
【０００１】
本発明は、内圧がかかるケースに設けられた開口部を塞ぐ栓に関するものである。
【背景技術】
【０００２】
従来、内圧がかかるケースに設けられた開口部を塞ぐために、ゴム栓など、弾性体からなる栓が用いられている。図５は従来例に係る栓によって開口部を塞いだ状態を示す模式的断面図である。
【０００３】
この従来例においては、ケース本体に設けられた貫通孔に装着されるカラー３００に栓４００が取り付けられるように構成されている。カラー３００は円筒状の本体部の後端側に外向きフランジ部３３０が設けられた構成である。このカラー３００における円筒の筒内の貫通孔に相当する部分が、「ケースに設けられた開口部」に相当する。以下、当該部分を単に「開口部３１０」と称する。
【０００４】
栓４００は、略円柱状の本体部の先端に係止部４１０が設けられ、後端に外向きフランジ部４２０が設けられている。また、栓４００の本体部の外周側には２つの環状突起部４３０，４４０が設けられている。
【０００５】
このように構成された栓４００を、その先端側から開口部３１０に差し込むと、栓４００の先端の係止部４１０が開口部３１０におけるケース内部側の開口端縁３２０に係止される。また、このとき、栓４００の後端の外向きフランジ部４２０が開口部３１０におけるケース外部側の開口端縁３３１に突き当たった状態となる。更に、栓４００の本体部の外周側に設けられた２つの環状突起部４３０，４４０が、開口部３１０の内周面に密着した状態となる。このようにして、カラー３００の貫通孔、すなわちケースに設けられた開口部３１０を塞ぐことができる。
【０００６】
このような栓４００に要求される性能として、装着性、シール性、及び抜け防止性がある。ここで、従来例に係る栓４００においては、係止部４１０の外径及び環状突起部４３０，４４０の外径が小さいほど、栓４００を開口部３１０に差し込み易くなり、装着性が高まる。しかしながら、係止部４１０の外径を小さくするほど、内部圧力Ｐによって、栓４００が抜け易くなる。また、環状突起部４３０，４４０の外径が小さいほど、シール性が低下してしまう。
【０００７】
このように、装着性、シール性、及び抜け防止性のいずれをも満足させるのは難しかった。
【先行技術文献】
【特許文献】
【０００８】
【特許文献１】特開平９−３３０７６３号公報
【発明の概要】
【発明が解決しようとする課題】
【０００９】
本発明の目的は、装着性、シール性及び抜け防止性の向上を図った栓を提供することにある。
【課題を解決するための手段】
【００１０】
本発明は、上記課題を解決するために以下の手段を採用した。
【００１１】
すなわち、本発明の栓は、
内圧がかかるケースに設けられた開口部を塞ぐ、弾性体からなる栓において、
筒状の本体部と、
前記本体部の先端側に設けられ、前記開口部におけるケース内部側の開口端縁に係止される係止部と、
前記本体部の後端側に設けられ、前記開口部におけるケース外部側の開口端縁に突き当たる外向きフランジ部と、
前記本体部における筒内に設けられ、該筒内のうち少なくとも先端側には空間部を形成させた状態で、該筒内においてケースの内部側と外部側とを遮断する遮断部と、
前記本体部の外周側に設けられ、前記開口部の内周面に密着する少なくとも一つの環状突起部と、
を備えることを特徴とする。
【００１２】
本発明によれば、弾性体からなる栓の本体部は筒状であるため、内側に変形し易い。従って、係止部や環状突起部を大きく設定しても、栓を開口部に装着し易い。また、筒内の先端側には空間部が形成されているので、ケース内の内圧が高まるにつれて、筒状の本体部における先端側は外径側に向かって拡がるように変形する。これにより、係止部による係止がより確実となり、また、環状突起部における開口部の内周面に対する密着力が、より一層高まる。
【００１３】
ここで、筒状の本体部における外径側に向かって拡がる変形量は遮断部よりも先端側で大きくなり、遮断部の付近ではあまり変形しない。
【００１４】
そこで、前記環状突起部には、前記遮断部よりも先端側の位置に設けられているものが含まれるとよい。これにより、当該位置に設けられた環状突起部においては、筒状の本体部の先端側が外径側に向かって拡がるように変形した際の密着力が、より確実に高まる。
【００１５】
また、前記環状突起部には、前記遮断部の外周の位置に設けられているものが含まれることも好適である。これにより、当該位置に設けられた環状突起部においては、筒状の本体部の先端側の変形の有無にかかわらず、安定した状態を維持する。従って、ケース内の内圧の大小に関係なく、安定したシール性を発揮させることができる。
【００１６】
なお、上記各構成は、可能な限り組み合わせて採用し得る。
【発明の効果】
【００１７】
以上説明したように、本発明によれば、装着性、シール性及び抜け防止性の向上を図ることができる。
【図面の簡単な説明】
【００１８】
【図１】本発明の実施例に係る栓が装着されるカラーの構成図である。
【図２】本発明の実施例に係る栓の構成図である。
【図３】本発明の実施例に係る栓がカラーに装着された状態を示す模式的断面図である。
【図４】本発明の実施例に係る栓がカラーに装着され、かつ内圧が高まった状態を示す模式的断面図である。
【図５】従来例に係る栓がカラーに装着された状態を示す模式的断面図である。
【発明を実施するための形態】
【００１９】
以下に図面を参照して、この発明を実施するための形態を、実施例に基づいて例示的に
詳しく説明する。ただし、この実施例に記載されている構成部品の寸法、材質、形状、その相対配置などは、特に特定的な記載がない限りは、この発明の範囲をそれらのみに限定する趣旨のものではない。
【００２０】
（実施例）
図１〜図４を参照して、本発明の実施例に係る栓について説明する。
【００２１】
＜栓が装着されるカラー＞
特に、図１を参照して、本発明の実施例に係る栓１００が装着されるカラー２００について説明する。図１（ａ）はカラーの底面図であり、同図（ｂ）はカラーの断面図（同図（ａ）のＡＡ断面図）である。
【００２２】
本実施例においては、不図示のケース本体に設けられた貫通孔に装着されるカラー２００に栓１００が取り付けられるように構成されている。このカラー２００は円筒状の本体部の後端側に外向きフランジ部２３０が設けられた構成である。このカラー２００における円筒の筒内の貫通孔に相当する部分が、「ケースに設けられた開口部」に相当する。以下、当該部分を単に「開口部２１０」と称する。
【００２３】
＜栓の構成＞
特に、図２を参照して、本発明の実施例に係る栓１００の構成について説明する。図２（ａ）は栓１００の底面図であり、同図（ｂ）は栓の断面図（同図（ａ）のＢＢ断面図）である。本実施例に係る栓１００は弾性体からなる。より具体的にはゴム材によって構成されるが、その材料としてはゴム以外であっても、弾性を有する材料であれば適用可能である。
【００２４】
栓１００は、円筒状の本体部１３０と、本体部１３０の先端に設けられる係止部１１０と、本体部１３０の後端に設けられる外向きフランジ部１２０とを備えている。そして、本体部１３０における筒内には遮断部１３１が設けられており、本体部１３０の外周側には第１環状突起部１３２及び第２環状突起部１３３が設けられている。
【００２５】
係止部１１０は、その先端面が後端側に向かって拡径するテーパ面によって構成されており、その後端側の外径が、開口部２１０の内径よりも大きくなるように構成されている。また、外向きフランジ部１２０は、その外径が、開口部２１０の内径よりも大きくなるように構成されている。
【００２６】
遮断部１３１は、本体部１３０における筒内において、ケースの内部側と外部側とを遮断するために設けられている。この遮断部１３１は、本体部１３０における筒内のうち、後端側に偏った位置に設けられている。そして、この本体部１３０における筒内の先端側には、筒内周面と遮断部１３１によって囲まれた空間部Ｋが形成されている。
【００２７】
第１環状突起部１３２は、本体部１３０の外周面のうち、遮断部１３１よりも先端側の位置に設けられている。そして、第２環状突起部１３３は、本体部１３０の外周面のうち、遮断部１３１の外周の位置に設けられている。
【００２８】
＜栓の装着＞
特に、図３を参照して、本発明の実施例に係る栓１００の装着について説明する。図３は栓１００を装着した状態であって、ケース内の内圧がかかっていない状態（大気圧と等しい状態）を示す模式的断面図である。
【００２９】
上記のように構成された栓１００を、カラー２００に装着する際には、その先端側から
開口部２１０（カラー２００における円筒の筒内の貫通孔）に差し込んでいく。ここで、上記の通り、本実施例に係る栓１００においては、その先端に設けられた係止部１１０の先端面はテーパ面によって構成されており、かつ本体部１３０における筒内の先端側は空間部Ｋが形成されている。従って、栓１００の先端を開口部２１０に差し込んでいく過程においては、栓１００の先端付近（本体部１３０の先端付近）が内側に撓むように変形した状態となる。そして、係止部１１０の後端が開口部２１０を通り抜けると同時に、栓１００の先端付近が元の状態に戻る。これにより、栓１００の先端の係止部１１０が開口部２１０におけるケース内部側の開口端縁２２０に係止される。つまり、係止部１１０の後端面１１１が、開口部２１０におけるケース内部側の開口端縁２２０に引っ掛かった状態となる。また、このとき、栓１００の後端の外向きフランジ部１２０が開口部２１０におけるケース外部側の開口端縁２３１に突き当たった状態となる。更に、栓１００の本体部の外周側に設けられた第１環状突起部１３２及び第２環状突起部１３３が、開口部２１０の内周面に密着した状態となる。このようにして、カラー２００の貫通孔、すなわちケースに設けられた開口部２１０を塞ぐことができる。
【００３０】
＜ケース内の内圧が高まった際の挙動＞
特に、図４を参照して、本発明の実施例に係る栓１００がカラー２００に装着された状態であって、ケース内の内圧が高まった際の栓１００の挙動について説明する。不図示のケース内の内圧が高まると、栓１００の本体部１３０における筒内の先端に形成されている空間部Ｋ内の圧力が高まる（図４中、矢印Ｐは内部圧力を示している）。これにより、栓１００における筒状の本体部１３０の先端側が外径側に向かって拡がるように変形する。従って、係止部１１０による開口端縁２２０への係止がより確実となり、環状突起部（特に、第１環状突起部１３２）における開口部２１０の内周面に対する密着力が、より一層高まる。
【００３１】
ここで、ケース内の内部圧力が高まることによって、筒状の本体部１３０における外径側に向かって拡がる変形量は、遮断部１３１よりも先端側で大きくなり、遮断部１３１の付近ではあまり変形しない。そのため、遮断部１３１よりも先端側の位置に設けられている第１環状突起部１３２においては、筒状の本体部１３０が上記の通り変形した際には、その密着力が、より確実に高まる。これに対して、遮断部１３１の外周の位置に設けられている第２環状突起部１３３においては、本体部１３０の先端側の変形の有無にかかわらず、安定した状態を維持する。従って、ケース内の内圧の大小に関係なく、安定したシール性を発揮させることができる。このように、第２環状突起部１３３によって、ケース内の内圧の変化に関係なく、安定したシール性能を発揮させ、かつケース内の内圧が高まった場合には、第１環状突起部１３２によって、よりシール性能を高めることができる。
【００３２】
＜本実施例の優れた点＞
以上説明したように、本実施例に係る栓１００によれば、弾性体からなる栓１００の本体部１３０は筒状であるため、内側に変形し易い。従って、従来技術のように栓の本体部が略円柱状の部材（中実の部材）で構成されたものに比べて、係止部１１０や第１環状突起部１３２及び第２環状突起部１３３の外径を大きく設定しても、栓１００を開口部２１０に装着し易い。また、筒内の先端側には空間部Ｋが形成されているので、ケース内の内圧が高まるにつれて、筒状の本体部１３０における先端側は外径側に向かって拡がるように変形する。これにより、係止部１１０による係止がより確実となり、また、環状突起部（特に、第１環状突起部１３２）における開口部２１０の内周面に対する密着力が、より一層高まる。
【００３３】
このように、本実施例に係る栓１００によれば、装着性、シール性及び抜け防止性の向上を図ることができる。
【００３４】
＜その他＞
上記の実施例においては、ケースに設けられた開口部が円形の場合を示したが、開口部が円形でない場合でも、本発明は適用可能である。すなわち、開口部の形状の合うように、栓における筒状の本体部の形状を設定すれば、種々の形状の開口部にも適用可能である。
【００３５】
また、上記の実施例においては、ケース本体に設けられた貫通孔に装着されるカラー２００に対して栓１００が取り付けられる場合を示したが、ケース本体自体に設けられた開口部（貫通孔）に栓が取り付けられる場合も適用可能であることは言うまでもない。
【符号の説明】
【００３６】
１００  栓
１１０  係止部
１１１  後端面
１２０  外向きフランジ部
１３０  本体部
１３１  遮断部
１３２  第１環状突起部
１３３  第２環状突起部
２００  カラー
２１０  開口部
２２０  開口端縁
２３０  外向きフランジ部
２３１  開口端縁
Ｋ  空間部
【図１】
2012007695.tif 000003
【図２】
2012007695.tif 000004
【図３】
2012007695.tif 000005
【図４】
2012007695.tif 000006
【図５】
2012007695.tif 000007